(57)【特許請求の範囲】
【請求項１】
既存の金属構造体のパネルを補強する方法であって、
前記パネル上に離間した状態で補強金属層を設けることにより、前記パネルの内面と前記補強金属層の内面との間に少なくとも１つの空洞を形成するステップと、
未硬化プラスチック材料から成る中間層を前記少なくとも１つの空洞内に注入するステップと、
前記プラスチック材料を硬化させることにより、前記パネルと前記補強金属層との間に剪断力を伝えることができる十分な強度をもって前記プラスチック材料を前記パネルの前記内面および前記補強金属層の前記内面に対して固着させるステップと、を備えている、方法。
【請求項２】
補強金属層を設ける前記ステップは、
前記パネルの前記内面にスペーサの一端を固着させるステップと、
前記補強金属層の前記内面を前記スペーサの他端に固着させるステップと、を備えている、請求項１に記載の方法。
【請求項３】
前記スペーサが金属製であり、前記固着ステップが溶接を含む、請求項２に記載の方法。
【請求項４】
前記スペーサは、プレートスペーサ、プラスチックから成るスペーサ、埋込型車両固縛金物のつば、または、裏当て棒材である、請求項２または３に記載の方法。
【請求項５】
前記少なくとも１つの空洞内には、前記パネルの前記内面および前記補強金属層の前記内面と接触した状態で支持部材が配置されている、請求項１から４のいずれか一項に記載の方法。
【請求項６】
補強金属層を設ける前記ステップの前に、前記金属構造体の前記内面がショットブラスト処理もしくはグリットブラスト処理されて洗浄される、請求項１から５のいずれか一項に記載の方法。
【請求項７】
前記補強金属層の厚さが２０ｍｍよりも小さい、請求項１から６のいずれか一項に記載の方法。
【請求項８】
前記中間層の厚さが少なくとも１０ｍｍである、請求項１から７のいずれか一項に記載の方法。
【請求項９】
前記プラスチック材料がエラストマーである、請求項１から８のいずれか一項に記載の方法。
【請求項１０】
前記既存の金属構造体のパネルは、トンネルライニング、船橋楼甲板、貨物倉、船体、船舶のデッキ、隔壁、外部船体構造、格納容器、建造物、沖合い構造物、または、このような既存の構造体の金属小部分のパネルである、請求項１から９のいずれか一項に記載の方法。
【請求項１１】
前記金属パネルは、梁、桁、または、球平形鋼によって支持され、前記補強金属層は、前記梁、桁、または、球平形鋼が前記金属パネルと前記補強金属層との間に位置されるように配置されている、請求項１から１０のいずれか一項に記載の方法。
【請求項１２】
前記補強金属層は、前記補強金属層が他の位置にある前記金属パネルからの距離よりも前記梁や球平形鋼の付近にある前記金属パネルからの距離が遠くなるように曲げられている、請求項１１に記載の方法。
【請求項１３】
前記補強金属層は、前記金属パネルに取り付けられる前記梁または球平形鋼の面とは反対側の梁または球平形鋼の面に対して取り付けられている、請求項１１または１２に記載の方法。
【請求項１４】
前記補強金属層は、スペーサを介して、前記梁または球平形鋼に取り付けられている、請求項１３に記載の方法。
【請求項１５】
請求項１から１４のいずれか一項に記載の方法を使用して補強される、既存のパネルを有する船舶。
【請求項１６】
請求項１から１４のいずれか一項に記載された補強方法によって製造される、補強された金属構造体。
【発明の詳細な説明】
【０００１】
本発明は、既存の金属構造体、特に大型の既存の構造体の既存の金属パネルを補強および／または修復および／または回復させる方法に関する。特に、この方法は、使用中に腐食および／または摩耗により厚さが減り、したがって、交換もしくは補強しなければならない金属パネルを補強および／または修復することに関する。
【０００２】
ローロー（Ｒｏ−Ｒｏ）（または、ローパックス（Ｒｏ−Ｐａｘ））フェリーのデッキプレートに使用される金属パネルは、１年に０．１ｍｍから０．３ｍｍの範囲の割合、一般的には１年に０．１５ｍｍの割合で、腐食および摩耗する。ロイドのレジスタ（Ｌｌｏｙｄ’ｓ  Ｒｅｇｉｓｔｅｒ）等の船級協会の規則および規定によれば、プレートは、厚さが初期の厚さの３０％減少すると機械的な特性が著しく減少することから交換しなければならない。プレート交換要件、および、一般的な船舶の部分および構造要素における初期のプレート厚さの関数として表わされる対応する減少プレート厚は、“船舶の等級分けに関するＬｌｏｙｄ’ｓ  Ｒｅｇｉｓｔｅｒ規則・規定にしたがう船舶の厚さ測定および検査−改訂２  １９９７年１月（Ｔｈｉｃｋｎｅｓｓ  Ｍｅａｓｕｒｅｍｅｎｔ  ａｎｄ  Ｃｌｏｓｅ−ｕｐ  Ｓｕｒｖｅｙ  ｏｆ  Ｓｈｉｐｓ  ｉｎ  Ａｃｃｏｒｄａｎｃｅ  ｗｉｔｈ  Ｌｌｏｙｄ’ｓ  Ｒｅｇｉｓｔｅｒ  Ｒｕｌｅｓ  ａｎｄ  Ｒｅｇｕｌａｔｉｏｎｓ  ｆｏｒ  ｔｈｅ  Ｃｌａｓｓｉｆｉｃａｔｉｏｎ  ｏｆ  Ｓｈｉｐｓ−Ｒｅｖｉｓｉｏｎ  ２，Ｊａｎｕａｒｙ  １９９７）”と題するＬｌｏｙｄ’ｓ  Ｒｅｇｉｓｔｅｒ技術文献に明記されている。弾性領域の弾性率および慣性モーメントの減少により、応力および歪みが限界値を超える。また、船舶の他の領域のプレートも、その減少した厚さが船級協会によって特定された値に達する場合には、交換しなければならない。
【０００３】
現在のやり方では、船舶の寿命を延ばすために、デッキプレートを取り外して交換する必要がある。この従来の方法では、大規模な作業が必要であり、主要な硬化材の交換、配管およびケーブルの取り外し、デッキパネルの裏面からの耐火材料等の除去、足場作り、大規模な溶接を伴う。それは、一般に、非常に多くの費用と時間を要するとともに、溶接を原位置で行なうことが難しいため溶接部に疲労し易い割れ目をもたらすことさえあり得る。
【０００４】
本発明の目的は、補強部材および他の細部を取り外す必要なしに、強化金属プレートを構造的に補強もしくは修復する方法を提供することである。
【０００５】
本発明は、既存の金属構造体のパネルを補強する方法であって、前記パネル上に離間した状態で補強金属層を設けることにより、前記パネルの内面と前記補強金属層の内面との間に少なくとも１つの空洞を形成するステップと、未硬化プラスチック材料を含む中間層を前記少なくとも１つの空洞内に注入するステップと、前記プラスチック材料を硬化させることにより、前記パネルと前記補強金属層との間に剪断力を伝えることができる十分な強度をもって前記プラスチック材料を前記パネルの前記内面および前記補強金属層の前記内面に対して固着させるステップと、を備えている方法を提供する。
【０００６】
以下に説明する方法によれば、その耐用年数に達した既存の構造体の金属パネルを、取り外すことなく且つ少ない準備で有利に補強することができる。これにより、修復中における構造体のためのオフライン時間が短くなる。その結果として得られる補強された構造体は、古いパネルを新しいパネルに交換する場合よりも僅かに重くなるにすぎない。この方法によれば、乾ドックを必要とすることなく、船体を修復することができる。補強により、固有のダンピング（ｄａｍｐｉｎｇ）性および遮音性が得られる。プラスチック材料は、簡単に硬化可能な自己硬化性のものであっても良く、あるいは、加熱して硬化する熱硬化性のものであっても良い。
【０００７】
無論、古いか新しいかにかかわらず、任意の既存の構造体のパネルに本発明を適用して、パネルを所望のごとく改善し、保護し或は補強することができる。
【０００８】
本発明を使用することによって得られる構造体は、米国特許第５，７７８，８１３、英国特許出願ＧＢ−Ａ−２３３７０２２、英国特許出願第９９２６３３３．７号のそれと同様である。これらの文献に開示された材料および技術は、本発明の実施において使用することができ、本発明にしたがって構成される構造体は、ここに開示された利点および利益を享受することができる。
【０００９】
以下、純粋に参照のためのみの図面により、本発明の一実施形態を説明する。
［発明の詳細な説明］
図中、同じ部品は同じ参照符号で示されている。
【００１０】
図１は、本発明に係る方法によって補強されたローローフェリーのデッキの断面図である。オリジナルデッキを形成する金属パネル１０は、梁１２および球平形鋼１７によって支持されている。様々なパイプ・ケーブル１４と耐火材料１５とが金属パネル１０の裏面に取り付けられている。
【００１１】
金属パネル１０は原厚Ａを有しており、この原厚Ａは、例えばローローフェリーのデッキにおいては、一般に１０ｍｍから２０ｍｍの範囲である。一般に、金属パネル１０の厚さは、腐食および／または摩耗により、毎年約０．１５ｍｍずつ減少する。このような状況下では、約２０年使用した後、金属パネル１０を交換もしくは補強する必要がある。
【００１２】
本発明の補強方法では、既存の構造体の金属パネル１０に対して補強金属層２０が取り付けられる。金属層２０は、金属パネル１０から離間して配置されることにより、金属パネル１０との間に空洞４０を形成する。その後、非硬化プラスチック材料から成る中間コア層が空洞４０内に射出すなわち注入される。プラスチック材料が硬化される（中間コア層は、硬化処理が不要な自己硬化プラスチック材料であっても良く、あるいは、例えば加熱して硬化させる必要があるプラスチック材料であっても良い）と、プラスチック材料は、金属パネル１０と補強層２０との間で剪断負荷を伝えることができる十分な強度をもって、金属パネル１０の内面１８および補強金属層２０の内面２２に固着し、これにより、それ自体の重量よりも十分大きな負荷に耐えることができる複合構造部材が形成される。一般的には、プラスチック材料を注入する前に、全ての溶接が完了する。
【００１３】
図１に示される実施形態においては、金属パネル１０と補強金属層２０との間に複数のスペーサ３０が設けられている。これらのスペーサ３０は、任意の断面すなわち形状を有していても良いが、隣接する端面３４によって金属パネル１０の内面１８に取り付けられる際には、一般に、同じ量だけ金属パネル１０の上側に突出する。この距離は、空洞により異なっていても良く、あるいは、用途に応じて、空洞にわたって異なっていても良い。その後、補強金属層２０がスペーサ３０の他端３２に取り付けられることにより、空洞４０が形成される。このようにすれば、本発明の方法を、変形したパネルすなわち湾曲したパネルに対しても実施することができる。このような補強により、補強側に滑らかな面が形成される。このことは、ローローフェリーにとって特に理想的である。なぜなら、車両のための滑らかな載置面が形成されるからである。
【００１４】
スペーサ３０は金属によって形成されていることが好ましく、そのようにすれば、自然なプレートの継ぎ目に沿った突合わせ溶接３６を使用することにより、オリジナルの金属パネル１０および補強金属層２０に対してスペーサ３０を溶接する（連続隅肉溶接３５を使用して）ことができる。スペーサ３０をうまく使用して、金属パネル１０と補強金属層２０との間の空洞４０を、プラスチック材料を内部に注入できるサイズの複数の小さな空洞に分割しても良い。
【００１５】
本発明を適用できる船舶１００の構造が図３に示されている。この船舶は、内側外板１０１および外側外板１０２と、内側船底１０３および外側船底１０４とを有する二重船体構造を成している。横隔壁１０５も図示されており、また、デッキが参照符号１０６で示されている。ビルジが参照符号１０７で示され、舷縁（ｇｕｎｗｈａｌｅ）が参照符号１０８で示されるとともに、ウェブフレームが参照符号１０９で示されている。本発明は、船舶におけるこれらの任意の部品に適用しても良く、無論、他の部品や単一船体構造を含む他の船舶に適用しても良い。
【００１６】
既存の金属パネルを用意して、スペーサ３０と既存の金属パネル１０とをうまく接合する方法のうち、出願人が現在知っている最良の方法は、金属パネル１０の内面１８にショットブラスト処理またはグリットブラスト処理を施すことである。しかしながら、必要な表面粗さ及びプラスチック材料の接合に適した錆びのない塗装面を与える他の方法を使用することもできる。理想的には、埃、塵、油、水が内面１８にあってはならない。
【００１７】
中間層コア４０は、補強が使用される環境において予想される最大の温度で、少なくとも２５０ＭＰａの弾性係数Ｅを有していることが好ましく、２７５ＭＰａの弾性係数Ｅを有していることが更に好ましい。造船の用途においては、この予想される最大の温度が１００℃であってもよい。
【００１８】
引裂強さ、圧縮強度、引張り強さ、伸びは、衝撃などの異常負荷時に補強パネルがエネルギを吸収することができる最大の大きさにしなければならない。特に、プラスチック材料の圧縮強度および引張り強度は、少なくとも２ＭＰａでなければならず、２０ＭＰａであることが好ましい。無論、圧縮強度および引張り強度をこれらの最小値よりもかなり大きくすることもできる。
【００１９】
最低稼働温度でのプラスチック材料の延性は、金属パネルまたは金属層の延性よりも大きくなければならない。最低稼働温度でのプラスチック材料の延性の好ましい値は５０％である。また、プラスチック材料の熱膨張係数および熱収縮係数を金属パネル１０および金属層２０のそれに十分近くして、予想される稼働範囲にわたる温度変化および溶接中の温度変化によって層間剥離が生じないようにしなければならない。２つの材料の熱膨張係数または熱収縮係数を異ならせることができる度合いは、ある程度は、プラスチックの弾性によって決まるが、プラスチック材料の熱膨張係数および熱収縮係数は金属層のそれの約１０倍であると考えられる。プラスチック材料にフィラーを添加することにより、熱膨張係数を制御しても良い。
【００２０】
プラスチック材料と金属パネルおよび金属層の内面１８、２２との間の結合強度は、稼働範囲全体にわたって、少なくとも０．５ＭＰａでなければならず、６ＭＰａであることが好ましい。これは、金属に対するプラスチック材料の固有の接着性によって達成されることが好ましいが、別個の接着材を与えても良い。
【００２１】
金属パネル１０が船体の一部である場合（図３に概略的に示されるように）の別の要件は、予想される負の静水圧に耐えるとともに、金属接合部での層間剥離力に耐えることができる十分大きな引張り結合強度を界面にわたって有していなければならないということである。プラスチック材料は、海水および淡水の両方に対して加水分解的に安定でなければならず、また、部材がオイルタンカーで使用される場合には、油に対して耐化学性を有していなければならない。
【００２２】
プラスチック材料がエラストマーであっても良く、また、補強金属層２０は、スチール、ステンレススチール、アルミニウム合金、あるいは、標準的な建造慣習に関連する他の任意の典型的な金属であっても良い。したがって、エラストマーは、基本的に、イソシアン酸塩またはジイソシアン酸塩、拡張鎖、フィラーと共に、ポリオール（例えば、ポリエステルまたはポリエーテル）を含んでいる。フィラーは、中間層の熱係数を小さくしてそのコストを低減するとともに、エラストマーの物理的な特性を制御するため、必要に応じて設けられる。例えば、機械的な特性や他の特性（例えば、接着力、耐水性、耐油性）を変えるために、他の添加物および難燃剤を含有させても良い。
【００２３】
注入ポートのサイズおよび注入ポートの位置は、プラスチック材料要素を注入するために利用できる装置、および、空洞の方向性によって決まる。一般に、空洞毎に１つの注入ポートが設けられる。ポートは、補強層２０または金属パネル１０に配置されても良く、飛び散りを最小限に抑えられ或は排除できるように配置されなければならない。注入ポートは、理想的には、成形後に研磨されない、逆止弁をできれば有する急速継手ポート（ｑｕｉｃｋ  ｄｉｓｃｏｎｎｅｃｔ  ｐｏｒｔｓ）である。また、注入ポートは、成形後に平らに研磨されるプラグでシールされても良い。
【００２４】
複数の各空洞には、空洞内の全ての空気を逃がして空きスペースを残さないようにすることができる通気孔が配置されている。通気孔は、充填後にプラグを挿入できるようにネジ切り穿孔されても良く、あるいは、弁や充填後に閉じる他の機械的な装置を有していても良い。通気孔および任意のプラグまたは弁は、プラスチック材料が硬化された後、平らに研磨されても良い。
【００２５】
注入ポートまたは通気孔に挿入されるプラグは、金属層２０に適合する電気特性を有する材料によって形成されていなければならない。金属層２０がスチールである場合、プラグは真鍮であっても良い。通気孔または注入ポート用の金属プラグは、必要に応じて温度制御される圧力逃がし弁としての役割を果たしても良い。
【００２６】
隆起を引き起こし且つプレート厚を不均一にする背圧を全く生じさせることなく、空洞に均一に充填でき、しかも、寸法精度（コアの厚さ）を特定の限界の範囲内に維持できるように、注入プロセスを監視しなければならない。
【００２７】
製造後であって補強寿命の間、エラストマーが金属層に対して正確に接着されたかを確かめる必要があるかもしれない。このような確認は、音響技術、超音波またはＸ線技術を使用して、あるいは、他の任意の適当な較正技術によって行なうことができる。
【００２８】
このようにすれば、既存の構造体の金属パネル１０を取り除くことなく、また、支持梁１２、パイプまたはケーブル１４、耐火材等の構成部品を裏面１８から取り外すことなく、既存の構造体の金属パネル１０を補強することができる。
【００２９】
補強金属層２０がスペーサ３０に取り付けられる前に、平坦平行端面を有する任意の所定形状の金属またはエラストマー支持部材５０が、スペーサ３０間における金属パネル１０の内面１８上に配置され、または内面１８に対して取り付けられても良い。これらの支持部材５０は、補強金属層２０を支持して、寸法精度（エラストマーの厚さ及び補強金属層の平面度）を確保する。
【００３０】
図２は、本発明において使用できる一般的なスペーサ３０および支持部材５０の平面図を示している。スペーサ３０は、互いに簡単に接合でき且つエラストマーの注入に適した寸法を有する空洞を形成できるように、断面が矩形であることが最も好ましい。スペーサ３０の平坦面３２は、補強金属層２０のための理想的な載置面および突合わせ溶接部すなわちプレート継ぎ目３６を形成するための理想的な載置面を与える。
【００３１】
補強金属層２０の厚さＢは、１ｍｍよりも大きいことが好ましいが、必要な構造的特性を与えることができ且つ組み立て、取り扱い、溶接が容易であれば、任意の厚さ、例えば６ｍｍであっても良い。厚さが３ｍｍであると、更に１０年使用しても、それ単独で、既存の金属パネル１０と構造的に同等もしくはそれよりも良好にデッキプレートを維持することができる。プラスチック材料の厚さＣは、１０ｍｍから２５ｍｍが最適であるが、用途や構造的な要件に応じてこれより厚くても良い。例えば、ばら積み貨物船のタンクトップ（ｔａｎｋ  ｔｏｐ）の場合、平均的なコア厚さが１００ｍｍ厚であっても良い。
【００３２】
寸法Ｂが３ｍｍで、寸法Ｃが１５ｍｍで、平面寸法が１４０ｍ×１９ｍであるデッキのオーバーレイ全体（一般的なローローフェリーのデッキ）は、重量的には、ほぼ１台の大型トラックに相当する。このようなデッキであれば、最低でも、あと１０年フェリーを使用することができる。このように補強されたデッキは、死荷重が２．２ｋＮ／ｍ２である１２．５ｍｍ厚のオリジナルデッキと比べて、約２．５ｋＮ／ｍ２の死荷重を有する。
【００３３】
図４は、ラッシングポットを取り囲むデッキに対する本発明の方法の適用形態を示している。このようなケースでは（および、例えばハッチカバーで、既存のパネル１０が金属部材と直角に或は直角に近い角度で当接していない状況においては）、スペーサ３０を使用して、空洞４０と補強された構造体の外側との間に側壁を形成しても良い。その後、隅肉溶接３５を使用して、スペーサ３０を既存のパネル１０およびラッシングポットに対して取り付けるとともに、補強層２０をスペーサ３０に取り付けることができる。
【００３４】
図５は、既存のパネルに対する補強層２０の他の配置形態を示している。図示の方法において、補強層は、既存の支持部材１２（例えば、縦桁および横梁）および補強部材１７と同じ側において、既存の補強されるプレートパネルに対して離間して取り付けられている。この実施形態によれば、補強される船体と、外板表面が流体（海水、油など）に隣接する側面構造部とを補強することができる。これと同じ補強方法を、他の内側の補強されるプレートに適用できれば適用して、耐用年数を延ばしたり、積載量および衝撃耐性を大きくしても良い。
【００３５】
図６に示される例において、補強パネルは、突合わせ溶接３６を使用して、既存の補強部材１７の隣接する下端１９上に直接に溶接される。このような構成においては、空洞の深さが大きいため、空洞内に発泡体６０を配置して、補強材の全重量を軽くすることが有益である。図６には明確に示されていないが、空間すなわちパネル１０と補強層２０との間の空洞には、英国特許出願第９９２６３３３．７に開示されているように供給施設（配管やケーブル）が収容されても良い。
【００３６】
図７ａは、既存の構造体に対する補強金属層２０の他の配置形態を示している。図示の実施形態において、補強金属層２０は、既存の支持構造体１７と同じ側において、既存の補強されるプレートパネルに対して離間して取り付けられる。補強層２０は、既存の金属パネル１０と補強金属層２０との間に球平形鋼が位置されるように、球平形鋼の周囲で折り曲げられている。図７ａに示される実施形態において、補強金属層２０はスペーサ３１に溶接されており、スペーサ３１は、金属パネル１０に取り付けられる球平形鋼１７の表面と反対側の球平形鋼１７の表面に対して溶接されている。スペーサは、未硬化のプラスチック材料を球平形鋼１７の周囲に自由に流すことができるように、あるいは、１または複数の球平形鋼を含む限られた容積の空洞を形成するために、途切れていても良く、あるいは、連続していても良い。図７ｂは、補強金属パネル２０を球平形鋼１７に対して取り付けるためにスペーサ３１を使用しない実施形態を示している。図７ｂの実施形態にも示されるように、補強金属層２０を接合するプレート継ぎ目は、球平形鋼１７のフランジの長さに沿って、各球平形鋼に形成されている。図７ｃに示される実施形態は、図７ａおよび図７ｂに示される補強金属層２０と球平形鋼１７との取付け方法と同じ方法で、アングル補強材に取り付けられた、あるいは、極端な場合には、横梁または縦桁１２に取り付けられた金属層２０を示している。図７に示される全ての実施形態において、補強金属層２０は、金属層２０が他の位置にある金属パネル１０からの距離よりも梁１２や球平形鋼１７の付近にある金属パネル１０からの距離が遠くなるように、曲げられている。金属層２０は、任意の形状（例えば、曲面、平面など）で折り曲げられても良く、また、例えば各球平形鋼１７間に１枚ずつある複数のパネルであっても良く、あるいは、連続シートであっても良い。図７に示される実施形態の利点は、補強金属層２０によって内面が単純化されて、良質のコーティングを施すことが容易になるとともに、補強金属層２０によって補強材とプレートとの溶接接続部での局所的なプレートの曲げが少なくなり、接合溶接部が疲労亀裂する可能性を低減でき、また、補強金属層２０によって更なる補強が成され、損傷する可能性がある既存の補強材を安定化させたり補強したりすることができるという点である。
【００３７】
全ての実施形態において、中間層４０は、空洞を完全に充填させるために必要な数の場所で、金属パネル１０または補強金属層２０のいずれかを通じて注入されても良い。
【００３８】
図７に示される実施形態は、理想的には、図１に示されるように金属層の適用を妨げるデッキ結合金具、配管、ハッチ等といった著しい数の障害物が金属パネル１０の外面上に存在する構造体に適している。また、この実施形態は、補強材が局所的に過負荷を受けて損傷する（座屈または曲げ）構造体に適用することもできる。
【００３９】
更に他の実施形態においては、既存の補強材が切断されてその長さが短くされるとともに、スタブ（ｓｔｕｂ）が残され、補強材の切り株から離間した状態で、補強層が既存のパネルに取り付けられる。このような構成では、中間層をより厚くして、必要な剛性を与えなければならない。この実施形態は、補強材が変形もしくは破損したり、あるいは、補強材とプレートとの間に存在する溶接部が破損したりした場合において有用である。
【００４０】
全ての実施形態においては、補強層を取り付ける前に、補強材の溶接割れを修理するとともに、他のメンテナンス作業を行なっても良い。
【００４１】
以上、ローローフェリーのデッキに関して本発明を説明してきたが、本発明は、他の用途、特に、高い面内負荷および横向き荷重、例えば桁違い（ｓｌａｍｍｉｎｇ）の負荷が予想されるような場合や、高い断裂強度、疲労強度、亀裂生長に対する高い耐性が望まれる場合にも有用である。そのような構造体の例は、トンネルライニング、垂直向性の船橋楼甲板、貨物倉、ばら積み貨物船のタンクトップ、船体、外側の船体構造、沖合い構造物、特にヘリコプター、スタジアムの屋根、格納容器である。
【図面の簡単な説明】
【図１】  本発明に係る方法を使用して金属パネルの上側が補強された、既存の構造体の金属パネルの断面図である。
【図２】  本発明の方法を使用した補強中における既存の構造体の金属パネルの平面図である。
【図３】  本発明を適用できる典型的な船舶の横断面図である。
【図４】  本発明に係る方法を使用して補強され且つラッシングポットを取り囲む既存の構造体の金属パネルの断面図である。
【図５】  本発明に係る方法を使用して金属パネルの内側が補強された、既存の構造体の金属パネルの断面図である。
【図６】  本発明に係る方法を使用して金属パネルの内側が補強されることにより複合構造積層板が形成された、既存の構造体の金属パネルの断面図である。
【図７ａ】  本発明に係る方法を使用して補強され且つ金属パネルの支持部材（補強材）を補強金属層が取り囲んでいる、既存の構造体の金属パネルの断面図である。
【図７ｂ】  本発明に係る方法を使用して補強され且つ金属パネルの支持部材（補強材）を補強金属層が取り囲んでいる、既存の構造体の金属パネルの断面図である。
【図７ｃ】  本発明に係る方法を使用して補強され且つ金属パネルの支持部材（補強材）を補強金属層が取り囲んでいる、既存の構造体の金属パネルの断面図である。
【図１】
0004949598.tif 000002
【図２】
0004949598.tif 000003
【図３】
0004949598.tif 000004
【図４】
0004949598.tif 000005
【図５】
0004949598.tif 000006
【図６】
0004949598.tif 000007
【図７ａ】
0004949598.tif 000008
【図７ｂ】
0004949598.tif 000009
【図７ｃ】
0004949598.tif 000010